(57)【要約】【課題】映像表示装置の画面における表示範囲サイズに拘らず所定の位置にオンスクリーン表示を行うことができるオンスクリーン表示装置を提供することを目的とする。【解決手段】映像表示装置の画面サイズに対して小さい表示範囲を有するオンスクリーン表示部１２と、映像表示装置の画面における表示範囲サイズを検出する表示画面サイズ検出手段１３と、この表示画面サイズ検出手段１３から得られた結果に基づいてオンスクリーン表示の表示範囲を移動させる表示位置移動部１４とを備えた構成を有している。【選択図】　図１
2004007153.tif 000002
【特許請求の範囲】
【請求項１】
映像表示装置の画面サイズに対して小さい表示範囲を有するオンスクリーン表示部と、映像表示装置の画面における表示範囲サイズを検出する表示画面サイズ検出手段と、この表示画面サイズ検出手段から得られた結果に基づいてオンスクリーン表示の表示範囲を移動させる表示位置移動部とを備えたことを特徴とするオンスクリーン表示装置。
【請求項２】
表示画面検出手段は、画面サイズにより定められた固有のデータを持って画面サイズを検出するものである請求項１記載のオンスクリーン表示装置。
【請求項３】
表示位置移動部は、映像表示装置の画面に対して水平及び垂直方向に移動させるものである請求項１記載のオンスクリーン表示装置。
【発明の詳細な説明】
【０００１】
【発明の属する技術分野】
本発明は、オンスクリーン表示の表示範囲を映像表示装置の画面サイズに応じて移動させる手段を備えたオンスクリーン表示装置に関するものである。
【０００２】
【従来の技術】
映像表示装置において、画面上の所定の位置にオンスクリーン表示を行う場合、その映像表示画面サイズに合った表示範囲を持つオンスクリーン表示装置が用いられている。以下、従来のオンスクリーン表示装置について説明する。
【０００３】
図３は従来のオンスクリーン表示装置を示すブロック図であり、図３において、１はオンスクリーン表示を表示する映像表示装置の画面、２はオンスクリーン表示を出力するオンスクリーン表示部である。
【０００４】
以上のように構成されたオンスクリーン表示装置について、以下その動作について説明する。
【０００５】
オンスクリーン表示部２で出力されたオンスクリーン表示は、オンスクリーン表示部２が有する表示範囲そのままで映像表示装置の画面１に表示される。そのため、画面１の所定の位置にオンスクリーン表示を行う場合は、所定の位置を包含した表示範囲を有する信号をオンスクリーン表示部２から出力することが必要となる。
【０００６】
【発明が解決しようとする課題】
しかしながら、映像表示装置の画面サイズが大きくなる高精細映像表示装置において、オンスクリーン表示を行う場合には、画面サイズに合った広い表示範囲を有する高価なオンスクリーン表示装置を用いなければならないという課題があった。
【０００７】
本発明は上記従来の問題点を解決するもので、映像表示装置の画面における表示範囲サイズに拘らず所定の位置にオンスクリーン表示を行うことができるオンスクリーン表示装置を提供することを目的とする。
【０００８】
【課題を解決するための手段】
この目的を達成するために本発明のオンスクリーン表示装置は、映像表示装置の画面サイズに対して小さい表示範囲を有するオンスクリーン表示部と、映像表示装置の画面における表示範囲サイズを検出する表示画面サイズ検出手段と、この表示画面サイズ検出手段から得られた結果に基づいてオンスクリーン表示の表示範囲を移動させる表示位置移動部とを備えたものである。
【０００９】
この構成によって、映像表示装置の画面の表示範囲サイズに拘らず所定の位置にオンスクリーン表示が可能になる。
【００１０】
【発明の実施の形態】
すなわち、本発明の請求項１記載の発明は、映像表示装置の画面サイズに対して小さい表示範囲を有するオンスクリーン表示部と、映像表示装置の画面における表示範囲サイズを検出する表示画面サイズ検出手段と、この表示画面サイズ検出手段から得られた結果に基づいてオンスクリーン表示の表示範囲を移動させる表示位置移動部とを備えたことを特徴とする。
【００１１】
また、請求項２記載の発明は、請求項１において、表示画面検出手段は、画面サイズにより定められた固有のデータを持って画面サイズを検出するものであることを特徴とし、請求項３記載の発明は、請求項１において、表示位置移動部は、映像表示装置の画面に対して水平及び垂直方向に移動させるものであることを特徴とする。
【００１２】
以下、本発明の一実施の形態について、図１、図２を用いて説明する。
【００１３】
図１は本発明の一実施の形態によるオンスクリーン表示装置の構成を示すブロック図、図２は本発明によるオンスクリーン表示装置における概略動作を説明するための画面の概略図であり、図１において、１１はプラズマディスプレイなどの映像表示装置の画面、１２は映像表示装置の画面１１のサイズに対して小さい表示範囲を有するオンスクリーン表示部で、図２（ａ）に示すように、画面１１の一部にオンスクリーン表示Ａを行うものである。１３は映像表示装置の画面１１における表示サイズを検出する表示画面サイズ検出手段で、例えば表示する映像ソースに応じて１６：９、４：３の表示が行われていた場合に、その画面の表示範囲サイズを入力される映像信号に基づいて検出するものである。１４はオンスクリーン表示の表示範囲を移動させるための信号を出力する表示位置移動部で、表示画面サイズ検出手段１３からの結果を基に、オンスクリーン表示を行う位置を移動させるようにオンスクリーン表示部１２に表示位置に関する信号を出力するものである。
【００１４】
以上のように構成されたオンスクリーン表示装置について、その動作を説明する。まず、映像表示装置の画面１１に、例えば図２（ａ）に示すような１６：９のフルサイズの表示を行う場合、表示画面サイズ検出手段１３は、その映像表示装置の画面１１における表示範囲サイズを映像表示装置に入力される映像信号に基づいて検出し、その情報を表示位置移動部１４に伝える。表示位置移動部１４では、この表示画面サイズ検出手段１３により得られた結果を基に、オンスクリーン表示部１２にオンスクリーン表示を行う位置を入力し、オンスクリーン表示部１２ではその情報に基づいて、図２（ａ）に示すようなオンスクリーン表示Ａを行う。
【００１５】
一方、映像表示装置の画面１１に、例えば図２（ｂ）に示すような４：３のサイズの表示を行う場合、表示画面サイズ検出手段１３は、その表示範囲サイズを映像表示装置に入力される映像信号に基づいて検出し、その情報を表示位置移動部１４に伝え、表示位置移動部１４では、この表示画面サイズ検出手段１３により得られた結果を基に、オンスクリーン表示部１２にオンスクリーン表示Ａを行う位置を変更する情報を入力し、オンスクリーン表示部１２ではその情報に基づいて、図２（ｂ）に示す位置に変更して、オンスクリーン表示Ａを行うものである。
【００１６】
以上のように本実施の形態によれば、表示画面サイズ検出手段と、表示位置移動部とオンスクリーン表示部により、映像表示装置の画面における表示範囲サイズに応じて、所定の位置にオンスクリーン表示を行うことができ、オンスクリーン表示を安価な構成で行うことができる。
【００１７】
【発明の効果】
以上のように本発明は、表示範囲の小さいオンスクリーン表示を行うオンスクリーン表示装置に、表示画面サイズ検出手段とオンスクリーン表示の表示位置移動部を備えることにより、映像表示装置の表示範囲サイズに拘らず所定の位置へのオンスクリーン表示を安価な構成で行えるという効果が得られる。
【図面の簡単な説明】
【図１】本発明の一実施の形態におけるオンスクリーン表示装置の構成を示すブロック図
【図２】同オンスクリーン表示装置の動作を説明するための画面の概略図
【図３】従来のオンスクリーン表示装置の構成を示すブロック図
【符号の説明】
１１　画面
１２　オンスクリーン表示部
１３　表示画面サイズ検出手段
１４　表示位置移動部
【図１】
2004007153.tif 000003
【図２】
2004007153.tif 000004
【図３】
2004007153.tif 000005